(57)【要約】    【構成】  横管用継手１０は、建物の排水横管（１００）に接続して用いられるものであり、継手本体１２および蓋体２８を備えている。継手本体１２には、所定の角度をなす流入口１８と流出口２２とが形成されるとともに、流入口１８から流出口２２までの流路から分岐しかつ流出口２２と対向する位置に掃除口２６が形成される。掃除口２６には、着脱自在に蓋体２８が装着され、使用時以外は塞がれている。さらに、蓋体２８の裏面側には、ガイド部４４が設けられる。ガイド部４４は、継手本体１２内で洗浄ノズル（１０６）を流出口２２側から流入口１８側へ導くものであり、排水横管（１００）の洗浄時には、流出口２２から横管用継手１０内に挿入された洗浄ノズル（１０６）が、ガイド部４４の先端面に衝突し、その先端面に沿って流入口１８へ向けて移動する。    【効果】  排水横管の洗浄作業を簡単に行うことができるようになる。【選択図】図５
2014066018.tif 000002
【特許請求の範囲】
【請求項１】
建物の排水横管に接続して用いられ、所定の角度をなす流入口と流出口とを有する継手本体を備える横管用継手において、
前記流入口から前記流出口までの流路から分岐しかつ前記継手本体における前記流出口と対向する位置に形成され、着脱自在な蓋体によって塞がれる掃除口を含み、
前記蓋体の裏面側に、洗浄ノズルを前記継手本体内で前記流出口側から前記流入口側へ導くためのガイド部を設けたことを特徴とする、横管用継手。
【請求項２】
前記ガイド部は、
前記蓋体の裏面から前記継手本体内に向けて突出して設けられる支持部、および
前記支持部の先端に設けられ、前記支持部の開口端を塞ぐ板部を含む、請求項１記載の横管用継手。
【請求項３】
前記板部は、前記蓋体に対して平行になるように設けられる、請求項２記載の横管用継手。
【請求項４】
前記板部は、前記流出口側から前記流入口側へ傾斜するように設けられる、請求項２記載の横管用継手。
【請求項５】
前記ガイド部は、前記蓋体の裏面から前記掃除口が形成された分岐部分の基端までの所定範囲内に収まるように設けられる、請求項２または３記載の横管用継手。
【請求項６】
前記ガイド部の先端と前記分岐部分の基端との間の距離が、前記洗浄ノズルの半径よりも小さくなるように設定される、請求項５記載の横管用継手。
【請求項７】
前記継手本体が光透過性材料によって形成される、請求項１ないし６のいずれかに記載の横管用継手。
【請求項８】
前記継手本体の外面および前記蓋体の表面の少なくともいずれか一方に発光手段が設けられる、請求項１ないし７のいずれかに記載の横管用継手。
【請求項９】
請求項１ないし８のいずれかに記載の横管用継手を曲がり部分に用いた排水横管。
【発明の詳細な説明】
【技術分野】
【０００１】
この発明は、横管用継手およびそれを用いた排水横管に関し、特にたとえば、建物の排水横管の曲がり部分などに適用される、横管用継手およびそれを用いた排水横管に関する。
【背景技術】
【０００２】
従来、マンションなどの建物の床下ピット内に配設される排水横管では、曲がり部分などに維持管理のための掃除口を設けておくことが一般的であり、空気調和・衛生工学会規格の給排水設備基準などにおいても、排水管が４５°を超える角度で方向を変える箇所には掃除口を設けることが推奨されている。たとえば、排水横管の曲がり部分に掃除口を設けるための施工例が非特許文献１に記載されているが、非特許文献１の技術では、排水横管の曲がり部分に三方継手を接続して、三方継手の１つの受口に着脱可能な蓋体を装着することによって、その受口を掃除口として利用するようにしている。
【非特許文献１】クボタシーアイ株式会社  建築設備配管用カタログ  Ｎｏ.Ｄ００−０６  ０７.５.１０.ＣＲＦ.ＥＥ  Ｐ２８−３１，５９，６０
【発明の概要】
【発明が解決しようとする課題】
【０００３】
このような排水横管は定期的に洗浄を行うことが必要とされるが、その洗浄を行う際には、一例として、排水横管の下流側から高圧洗浄ノズルを挿入して、高圧洗浄ノズルから噴射した高圧水流により配管内の堆積物を掻き出し（除去し）ながら、その高圧洗浄ノズルを上流側に送り出す方法が採用される。
【０００４】
しかしながら、非特許文献１の技術では、図１４に例示しているように、継手の掃除口に装着した蓋体の裏面側に凹状に窪んだ空間Ｓが生じてしまうこととなるので、洗浄を行う際にその掃除口の空間Ｓに高圧洗浄ノズルが入り込んでしまうということがあった。掃除口の空間Ｓに高圧洗浄ノズルが入り込んでしまうと、高圧洗浄ノズルをそこから上流側に送り出すことができなくなるので、その場合には、継手に形成された掃除口を開けるなどして、その掃除口から配管内に別の高圧洗浄ノズルを挿入して上流側を洗浄しなければならなかった。よって、その作業に手間や時間が必要となり、排水横管の維持管理性に難点が生じていた。
【０００５】
また、掃除口の空間Ｓに入り込むことがないように高圧洗浄ノズルを挿入していく作業には非常に高い技量（スキル）が求められるので、作業員ごとの技量に依存しなければならないのが現状であり、施工のより簡単化が求められていた。
【０００６】
それゆえに、この発明の主たる目的は、新規な、横管用継手およびそれを用いた排水横管を提供することである。
【０００７】
この発明の他の目的は、排水横管の維持管理を容易に行うことができる、横管用継手およびそれを用いた排水横管を提供することである。
【課題を解決するための手段】
【０００８】
本発明は、上記の課題を解決するために、以下の構成を採用した。なお、括弧内の参照符号および補足説明などは、本発明の理解を助けるために後述する実施の形態との対応関係を示したものであって、本発明を何ら限定するものではない。
【０００９】
第１の発明は、建物の排水横管に接続して用いられ、所定の角度をなす流入口と流出口とを有する継手本体を備える横管用継手において、流入口から流出口までの流路から分岐しかつ継手本体における流出口と対向する位置に形成され、着脱自在な蓋体によって塞がれる掃除口を含み、蓋体の裏面側に、洗浄ノズルを継手本体内で流出口側から流入口側へ導くためのガイド部を設けたことを特徴とする、横管用継手である。
【００１０】
第１の発明では、横管用継手（１０）は、建物の排水横管（１００）に接続して用いられるものであり、継手本体（１２）および蓋体（２８）を備えている。継手本体には、所定の角度をなす流入口（１８）と流出口（２２）とが形成される。そして、流入口には、上流側から継手本体内に排水を流入させる流入管（１０４）が接続され、流出口には、継手本体内の排水を下流側に流出させる流出管（１０２）が接続される。また、継手本体には、流入口から流出口までの流路から分岐して、流出口と対向する位置に掃除口（２６）が形成される。掃除口には、着脱自在に蓋体が装着され、使用時以外は塞がれている。さらに、蓋体の裏面側には、ガイド部（４４）が設けられる。ガイド部は、蓋体の裏面から継手本体内側に突き出すように設けられ、排水横管の洗浄時に、洗浄ノズル（１０６）を継手本体内で流出口側から流入口側へ導く。たとえば、下流側の流出管から横管用継手内に挿入された洗浄ノズルは、ガイド部の先端面に衝突し、その先端面に沿って上流側、つまり流入管へ向けて移動することとなる。
【００１１】
第１の発明によれば、排水横管の洗浄時にガイド部によって洗浄ノズルを流出口側から流入口側へ不具合なく導くことができるので、作業員の技量に依存することなく、誰でも簡単に排水横管の洗浄作業を行うことができるようになる。したがって、排水横管の維持管理性を向上させることができる。
【００１２】
第２の発明は、第１の発明に従属し、ガイド部は、蓋体の裏面から継手本体内に向けて突出して設けられる支持部、および支持部の先端に設けられ、支持部の開口端を塞ぐ板部を含む。
【００１３】
第２の発明では、ガイド部（４４）は、支持部（４６）と板部（４８）とによって構成される。たとえば、支持部は、合成樹脂からなる中空円筒状の短管であって、蓋体（２８）の裏面から継手本体内に向けて突出するように設けられ、蓋体の裏面上に塩ビ溶接等によって接合される。また、たとえば、板部は、合成樹脂からなる円形の平板であって、支持部の先端に塩ビ溶接等により接合され、支持部の開口端を塞ぐ。
【００１４】
第２の発明によれば、たとえば別用途のために製造された汎用品を組み合わせてガイド部を構成して、そのガイド部を蓋体に設けるようにすれば、蓋体の製造コストを低減させることができ、延いては、横管用継手を簡単にかつ安価に製作することが可能になる。
【００１５】
第３の発明は、第２の発明に従属し、板部は、蓋体に対して平行になるように設けられる。
【００１６】
第３の発明では、ガイド部（４４）の支持部（４６）の先端には、板部（４８）が蓋体（２８）に対して平行になるように設けられる。こうすることにより、掃除口（２６）に蓋体を装着する際に、蓋体の周方向に方向性が要求されないようになり、掃除口に装着した蓋体の周方向の位置に拘わらず、ガイド部が同様の効果を発揮することができるようになる。したがって、掃除口への蓋体の装着作業をより簡単に行えるようになる。
【００１７】
第４の発明は、第２の発明に従属し、板部は流出口側から流入口側へ傾斜するように設けられる。
【００１８】
第４の発明では、ガイド部（４４）の支持部（４６）の先端には、板部（４８）が流出（２２）口側から流入口（１８）側へ向けて傾斜するように設けられる。こうすることにより、横管用継手（１０）内に挿入された洗浄ノズル（１０６）をガイド部によってよりスムーズに流出口側から流入口側へ導くことが可能になる。
【００１９】
第５の発明は、第２または３の発明に従属し、ガイド部は、蓋体の裏面から掃除口が形成された分岐部分の基端までの所定範囲内に収まるように設けられる。
【００２０】
第５の発明では、掃除口（２６）は、継手本体（１２）において流入口（１８）から流出口（２２）までの流路から分岐した分岐部分（２４）の先端に形成され、ガイド部（４４）は、蓋体（２８）の裏面から分岐部分の基端（２４ａ）までの所定範囲内に収まるように設けられる。つまり、ガイド部は、その先端が分岐部分の基端と面一になるか、或いは、分岐部分の基端よりも継手本体の内部側に突き出さないように配置される。
【００２１】
第５の発明によれば、横管用継手内を流入口から流出口へと流れる排水にガイド部が干渉することを回避できるので、横管用継手の流量を確保することができ、かつ排水中のごみなどの異物がガイド部に引っ掛かって堆積等してしまうこともなくなる。
【００２２】
第６の発明は、第５の発明に従属し、ガイド部の先端と分岐部分の基端との間の距離が、洗浄ノズルの半径よりも小さくなるように設定される。
【００２３】
第６の発明では、継手本体（１２）の分岐部分（２４）の基端（２４ａ）とガイド部（４４）の先端との間の距離（ｄ１）が、洗浄ノズル（１０６）の半径よりも小さくなるように設定される。こうすることにより、洗浄ノズルがガイド部の先端と分岐部分の基端との間に生じた高低差を乗り超えて流入口（１８）側に移動し易くなるので、洗浄ノズル（１０６）をよりスムーズに流入口側へ導くことができるようになる。
【００２４】
第７の発明は、第１ないし６のいずれかの発明に従属し、継手本体が光透過性材料によって形成される。
【００２５】
第７の発明では、継手本体（１２）が、ポリカーボネートやアクリルや透明塩化ビニルのような光透過性材料によって形成される。
【００２６】
第７の発明によれば、横管用継手の内部に不都合が起こった場合に、蓋体を取り外して掃除口を開けなくても、目視で継手本体の内部の状況を確認することができるようになる。
【００２７】
また、排水横管の内部に光を照射したときに、排水横管のうち横管用継手の部分のみを内部から光らせることができるので、床下ピット内でも横管用継手の位置を把握し易くなる。
【００２８】
第８の発明は、第１ないし７のいずれかの発明に従属し、継手本体の外面および蓋体の表面の少なくともいずれか一方に発光手段が設けられる。
【００２９】
第８の発明では、継手本体（１２）の外面や蓋体（２８）の天板（３４）の表面には、たとえば蛍光部材や蓄光部材、または反射部材などの発光手段が設けられる。
【００３０】
第８の発明によれば、光を照射された横管用継手が発光手段により光るようになるので、横管用継手の位置を把握し易くなる。したがって、維持管理性をより向上させることができる。
【００３１】
第９の発明は、第１ないし８の発明の横管用継手を曲がり部分に用いた排水横管である。
【００３２】
第９の発明では、排水横管（１００）は、建物の床下ピット内などに配設され、その曲り部分には、横管用継手（１０）が接続されている。たとえば、横管用継手は、排水横主管（１０２）に排水立管（１０４）からの排水が流入する曲り部分や、排水横主管の配設高さが変わる曲り部分や、同じ配設高さで排水横主管の方向が変わる曲り部分などに接続される。
【００３３】
第９の発明によれば、排水横管の維持管理性が向上される。
【発明の効果】
【００３４】
この発明によれば、掃除口に装着した蓋体の裏面側にガイド部を設けるようにしたため、洗浄ノズルを継手本体内で不具合なく流出口から流入口側へ導くことが可能になり、排水横管の洗浄作業を簡単に行うことができるようになる。
【００３５】
この発明の上述の目的，その他の目的，特徴および利点は、図面を参照して行う以下の実施例の詳細な説明から一層明らかとなろう。
【図面の簡単な説明】
【００３６】
【図１】この発明の一実施例の横管用継手を排水横管に接続した様子を示す図解図である。
【図２】図１の横管用継手を示す正面図である。
【図３】図１の横管用継手を示す側面図である。
【図４】図１の横管用継手を示す平面図である。
【図５】図１の横管用継手を示す断面図である。
【図６】図５における蓋体の部分を拡大した図解図である。
【図７】排水横管内を洗浄ノズルによって洗浄する様子を示す図解図である。
【図８】図１の横管用継手内に下流側から洗浄ノズルを挿入して、洗浄ノズルを上流側に推進させる様子を示す図解図である。
【図９】この発明の別の実施例の横管用継手を示す断面図である。
【図１０】この発明のさらに別の実施例の横管用継手を示す斜視図である。
【図１１】図１０の横管用継手を示す断面図である。
【図１２】図１１における蓋体の部分を拡大した図解図である。
【図１３】図１０の横管用継手内に下流側から洗浄ノズルを挿入して、洗浄ノズルを上流側に推進させる様子を示す図解図である。
【図１４】従来の横管用継手内に下流側から洗浄ノズルを挿入した様子を示す図解図である。
【発明を実施するための形態】
【００３７】
図１を参照して、この発明の一実施例である横管用継手１０は、マンション或いは戸建住宅などの建物の床下ピット内に配設された排水横管１００に接続して用いられるものである。たとえば、この実施例においては、横管用継手１０は、排水横主管１０２に排水立管１０４からの排水が流入する箇所（曲り部分）に用いられるが、これに限定される必要はなく、排水横主管１０２の配設高さが変わる曲り部分や、同じ配設高さで排水横主管１０２の方向が変わる曲り部分などに用いるようにしてもよい。
【００３８】
図２−４に示すように、横管用継手１０は、塩化ビニルなどの合成樹脂からなる継手本体１２を備えている。この実施例では、継手本体１２は、９０°大曲がりＹ継手であり、直管状の胴体部１４と胴体部１４の中央付近から外側に突き出す流入部１６とを有している。
【００３９】
流入部１６は、胴体部１４から大曲がり形状に湾曲して形成され、短円筒形状の受口構造を有している。流入部１６は、上流側に位置する流入管（つまり、排水立管）１０４の端部が接続される接続部であるとともに、その開口が上流側から継手本体１２内に排水を流入させる流入口１８として用いられる。流入口１８の径は、たとえば２００ｍｍであり、流入部１６に流入管１０４の管端を挿入し接着接合することによって、横管用継手１０と流入管１０４とが接続される。
【００４０】
また、継手本体１２には、流入部１６と所定の角度をなすように流出部２０が形成される。この実施例では、流出部２０は、胴体部１４の軸方向の一方端部であって、流入口１８の軸線と直交または略直交し、短円筒形状の受口構造を有している。流出部２０は、下流側に位置する流出管（つまり、排水横主管）１０２の端部が接続される接続部であるとともに、その開口が継手本体１２内の排水を下流側に流出させる流出口２２として用いられる。流出口２２の径は、たとえば２００ｍｍであり、流出部２０に流出管１０２の管端を挿入し接着接合することによって、横管用継手１０と流出管１０２が接続される。
【００４１】
さらに、継手本体１２には、流入口１８および流出口２２とは分岐して掃除口２６が形成される。言い換えると、継手本体１２には、流入口１８から流出口２２までの流路から分岐した分岐部分２４が形成されており、その分岐部分２４の先端開口が横管用継手１０や排水横管１００の維持管理のための掃除口２６として用いられる。この実施例では、分岐部分２４は、胴体部１４の軸方向の他方端部、つまり流出口２２と対向する位置に設けられ、短円筒形状の受口構造を有しており、掃除口２６には、着脱自在に蓋体２８が装着され、使用時以外は塞がれている。掃除口２６の径は、たとえば２００ｍｍである。
【００４２】
具体的には、図５および図６に示すように、掃除口２６（分岐部分２４）には、直管状の短管３０が挿入され、この短管３０を介して、蓋体２８が掃除口２６に装着される。短管３０は、水密性の接着剤などによって掃除口２６に接着接合され、その内面には、ねじ部３２が形成されている。
【００４３】
蓋体２８は、掃除口２６を覆う天板３４を備えている。天板３４は、硬質塩化ビニルなどの合成樹脂によって略円板状に形成され、その外径は、掃除口２６の全体を覆うことができるように、掃除口２６の径と同じかそれよりも大きく設定され、たとえば２００ｍｍである。
【００４４】
また、天板３４の裏面、つまり継手本体１２内側の面には、天板３４の外周縁に沿って嵌合部３６が形成される。嵌合部３６は、短管状に形成され、その外面には、ねじ部３８が形成されている。そして、この嵌合部３６のねじ部３８を、掃除口２６に接着接合した短管３０のねじ部３２に螺合させることによって、蓋体２８が掃除口２６に固定される。さらに、嵌合部３６の外側の所定位置には、円環状のシール部材４０が設けられている。シール部材４０は、スチレンブタジエンゴム（ＳＢＲ）等のゴムからなり、蓋体２８を掃除口２６に固定した時に短管３０の開口端面と当接し、短管３０と蓋体２８との間を水密的に閉塞（つまり、止水）する。
【００４５】
さらに、天板３４の表面側には、把持部４２が形成される。把持部４２は、つまみ状に形成され、作業者がこの把持部４２を掴むことによって、掃除口２６に対する蓋体２８の着脱が容易にされる。なお、この実施例では、継手本体１２の天板３４の一部を利用し、天板３４に凹凸のつまみ形状を形成することによって把持部４２を構成しているが、これに限定される必要はなく、別部材の把持部４２を天板３４の上面に接着接合等するようにしてもよい。
【００４６】
さらにまた、天板３４の裏面側には、排水横管１００などの排水管路の洗浄時に洗浄ノズル１０６をガイドするためのガイド部４４が設けられる。
【００４７】
なお、ガイド部４４の説明に先だって、排水管路内を洗浄する洗浄方法の概要について簡単に説明しておくと、図７に示すように、排水管路内の洗浄時には、排水管路の洗浄範囲の最下流側から高圧洗浄機の洗浄ノズル１０６を挿入する。一例として、洗浄ノズル１０６は、斜め後方に高圧水流を噴射する断面略円形の後方噴射ノズルであり、この洗浄ノズル１０６から噴射した高圧水流によって排水管路内の堆積物などが除去されるとともに、その噴射の反力によって洗浄ノズル１０６が自走、つまり排水管路の上流側に向けて推進する。洗浄ノズル１０６の直径は、たとえば８ｍｍ−１２ｍｍである。そして、洗浄範囲の最下流側から挿入した洗浄ノズル１０６を作業員の手作業（押し込み作業）および噴射による反力によって推進させて、洗浄範囲の最上流側まで到達させることによって、排水管路内の洗浄を行う。
【００４８】
図６に戻って、この実施例では、ガイド部４４は、洗浄ノズル１０６を継手本体１２内で流出口２２側から流入口１８側へ導くためのものであり、支持部４６と板部４８とによって構成される。
【００４９】
支持部４６は、塩化ビニルなどの合成樹脂によって形成された中空円筒状の短管であって、蓋体２８（の天板３４）の裏面上かつ嵌合部３６よりも内側に塩ビ溶接等によって接合される。たとえば、支持部４６には、汎用の塩化ビニル管を所定の寸法に切断したものを使用することが可能である。支持部４６は、蓋体２８の裏面から継手本体１２内に向けて突出するように設けられ、その内径は、たとえば１５０ｍｍであり、その長さは、たとえば１２０ｍｍである。支持部４６と嵌合部３６との隙間には、スポンジゴム（発泡ゴム）からなるスポンジゴム輪５０が設けられ、支持部４６と嵌合部３６とスポンジゴム輪５０とに囲まれた空間には、止水用コーキング材またはタフボンド（クボタシーアイ社製）などの接合材５２が充填される。
【００５０】
また、板部４８は、塩化ビニルなどの合成樹脂によって形成された円形の平板であって、支持部４６の先端に塩ビ溶接等により接合される。板部４８は、支持部４６の開口端を塞ぎ、蓋体２８に対して平行になるように配置される。たとえば、板部４８には、汎用の塩化ビニル板を所定の寸法に切断したものを使用することが可能である。板部４８の径は、たとえば１９０ｍｍであり、その厚みは、たとえば５ｍｍである。
【００５１】
なお、ガイド部４４は、継手本体１２内を流入口１８から流出口２２へと流れる排水に干渉することを回避できるように、分岐部分２４の基端２４ａまでの所定範囲内に収まるようにされる。たとえば、この実施例では、分岐部分２４は、上述したように、流入口１８から流出口２２までの流路から分岐した部分であり、この分岐部分２４が流入部１６と交わる部分が、分岐部分２４の基端２４ａに該当する。したがって、ガイド部４４の長さ寸法（つまり、支持部４６の軸方向長さと板部４８の厚みとの合計寸法）は、ガイド部４４の先端が分岐部分２４の基端２４ａと面一になるか、或いは、分岐部分２４の基端２４ａよりも継手本体１２の内部側に突き出さない所定範囲内の値に設定される。
【００５２】
さらに、これに加えて、図６に一点鎖線で示す分岐部分２４の基端２４ａとガイド部４４の先端つまり板部４８の先端面との間の距離ｄ１が、洗浄ノズル１０６の半径よりも小さくなるように設定される。たとえば、この実施例では、ガイド部４４の長さ寸法は、その先端と分岐部分２４の基端２４ａとの間の距離ｄ１が２ｍｍ程度になるように設定されている。詳細は後に説明するが、こうすることにより、洗浄ノズル１０６がガイド部４４の先端の板部４８と分岐部分２４の基端２４ａとの間に生じた高低差を乗り超えて流入部１６側に移動し易くなる。
【００５３】
また、排水管路内の洗浄時に洗浄ノズル１０６が分岐部分２４とガイド部４４との隙間に入り込んでしまうことがないように、分岐部分２４の基端２４ａの内周面とガイド部４４の先端の外周縁つまり板部４８の外周縁との隙間の大きさ（距離）が、洗浄ノズル１０６の直径よりも小さくなるように設定されており、たとえば、この実施例では、２ｍｍ程度になるように設定されている。
【００５４】
図８を参照して、このような横管用継手１０を曲り部分に接続した排水横管１００内を、上述した洗浄方法によって洗浄するときには、図８（ａ）に示すように、作業員の手作業（押し込み作業）および噴射による反力によって下流側の流出管１０２から横管用継手１０内に挿入した洗浄ノズル１０６を、そのまま進行方法に直進させ、ガイド部４４の板部４８に衝突させる。すると、図８（ｂ）に示すように、洗浄ノズル１０６は、その水流の推進力により板部４８に接触したまま、板部４８に沿って移動（滑動）することとなる。そして、板部４８の側方においては、流入部１６の方向以外に進むことができないので、板部４８に沿って移動している洗浄ノズル１０６は、進行可能な唯一の経路である流入部１６の方向へ自然に移動し、図８（ｃ）に示すように、流入部１６の中を上流側、つまり流入管１０４へ向けて推進する。
【００５５】
このように、この実施例によれば、掃除口２６に装着した蓋体２８の裏面側にガイド部４４を設けるようにしたため、排水横管１００などの洗浄時に横管用継手１０内に挿入された洗浄ノズル１０６を、ガイド部４４によって継手本体１２内で流出口２２側から流入口１８側へ導くことが可能になる。このため、図１４に示す管継手のように掃除口の分岐部分に生じた空間Ｓに洗浄ノズル１０６が入り込んでしまい、それよりも上流側に推進することができなくなるなどの不具合がなくなり、流出口２２側から流入口１８側へと洗浄ノズル１０６をスムーズに導くことができるようになるので、作業員の技量に依存することなく、誰でも簡単に排水横管１００の洗浄作業を行うことができる。したがって、排水横管１０の維持管理性を向上させることができる。
【００５６】
また、この実施例では、ガイド部４４が、塩化ビニル管などを使用した支持部４６と、塩化ビニル板などを使用した板部４８とによって構成される。すなわち、別用途のために製造された従来品（汎用品）を組み合わせ、それを塩ビ溶接等により蓋体２８に接合することで、蓋体２８にガイド部４４を設けることが可能である。このように、ガイド部４４が一体的に設けられた蓋体２８を専用品として製作するのではなく、従来品のみを用いてガイド部４４を製造するようにすれば、新たな金型などを製作する必要がなくなる等、蓋体２８の製造コストを低減させることができ、延いては、横管用継手１０を簡単にかつ安価に製作することが可能になる。
【００５７】
しかも、蓋体２８に対してガイド部４４を後付けすることも可能であるので、既に排水横管の曲り部などに使用されている横管用継手の掃除口の蓋体に対して塩ビ溶接等によりガイド部４４を設けることによっても、本実施例と同様の効果を奏する横管用継手を製作することが可能になる。すなわち、既設の横管用継手に対してガイド部４４を適用することによっても、本実施例の横管用継手１０を製作することが可能である。
【００５８】
さらに、この実施例では、ガイド部４４の板部４８を蓋体２８に対して平行に設けるようにしているので、継手本体１２の掃除口２６に蓋体２８を装着する際に、蓋体２８の周方向に方向性が要求されることがない。つまり、たとえばガイド部４４の板部４８が蓋体２８に対して平行に設けられていなければ、蓋体２８を掃除口２６に装着する際に、蓋体２８の周方向に正確な方向性が要求されるので、短管３０のねじ部３２と蓋体２６（の嵌合部３６）のねじ部３８とを螺合させるときに少しでも螺合量が違ってしまうと、ガイド部４４がその機能を果たさなくなってしまう可能性があるが、この実施例のように、ガイド部４４の板部４８を蓋体２８に対して平行に設けるようにすることで、継手本体１２の掃除口２６に装着した蓋体２８の周方向の位置に拘わらず、ガイド部４４が同様の効果を発揮することが可能である。したがって、この実施例によれば、掃除口２６への蓋体２８の装着作業をより簡単に行えるようになる。
【００５９】
さらにまた、この実施例では、ガイド部４４が、掃除口２６が形成された分岐部分２４の基端２４までの所定範囲内に収まるように設けられ、ガイド部４４の先端が分岐部分２４の基端２４ａと面一になるか、或いは、分岐部分２４の基端２４ａよりも継手本体１２内側に突き出さないようにされる。このため、横管用継手１０内を流入口２２から流出口１８へと流れる排水にガイド部４４が干渉することを回避できるので、横管用継手１０の流量を確保することができるとともに、排水中のごみなどの異物がガイド部４４に引っ掛かって堆積等してしまうことがない。
【００６０】
その上、この実施例では、ガイド部４４の長さ寸法を、ガイド部４４の先端と分岐部分２４の基端２４ａとの間の距離ｄ１が洗浄ノズル１０６の半径よりも小さくなるように設定している。
【００６１】
ここで、ガイド部４４をその先端が分岐部分２４の基端２４ａよりも窪むように配置すると、ガイド部４４の先端の板部４８と分岐部分２４の基端２４ａとの間に高低差が生じてしまうが、この実施例のように、ガイド部４４の先端と分岐部分２４の基端２４ａとの間の距離ｄ１を洗浄ノズル１０６の半径よりも小さくなるようにすることにより、排水管路の洗浄時にガイド部４４の先端の板部４８の面上を動く洗浄ノズル１０６が、板部４８と分岐部分２４の基端２４ａとの間に形成された高低差を乗り超えて上流側、つまり流入部１８側に移動し易くなる。したがって、この実施例によれば、よりスムーズに洗浄ノズル１０６を流出口２２側から流入口１８側へ導くことができるようになる。
【００６２】
なお、上述の実施例では、支持部４６と板部４８とによってガイド部４４を構成し、そのガイド部４４を塩ビ溶接等により蓋体２８に接合するようにしたが、これに限定される必要はなく、蓋体２８とガイド部４４とを一体的に製造するようにしてもよい。
【００６３】
さらに、必ずしもガイド部４４を支持部４６と板部４８とによって構成する必要もなく、ガイド部４４は、蓋体２８の裏面から継手本体１２内に向けて突出し、掃除口２６が形成された分岐部分２４に生じた空間に洗浄ノズル１０６が入り込んでしまうことを防止できるのであれば、その形状・素材は特に限定されるものではない。
【００６４】
また、上述の実施例では、ガイド部４４の板部４８を蓋体２８に対して平行に設けるようにしたが、これに限定される必要はない。ただし、この場合には、短管３０のねじ部３２と蓋体２８（の嵌合部３６）のねじ部３８とを螺合させることによって蓋体２８を掃除口２６に固定するのではなく、蓋体２８を掃除口２６に固定した時に蓋体２６の周方向の位置も固定化されるバヨネット接合などの接合方法を採用すると好適である。こうすることにより、蓋体２６の周方向の位置に拘わらず、ガイド部４４が同様の効果を発揮することができるようになる。
【００６５】
さらに、ガイド部４４の板部４８を、流出口２２側から流入口１８側へ傾斜するように形成してもよい。
【００６６】
一例を挙げると、図９に示すように、ガイド部４４の支持部４６の先端の開口端面を流出口２２側から流入口１８側へ向けて傾斜するように形成し、そこに流出口２２側から流入口１８側へ向けて傾斜する湾曲板状に形成した板部４８を設ける。こうすることにより、横管用継手１０内に挿入された洗浄ノズル１０６をガイド部４４によってよりスムーズに流出口２２側から流入口１８側へ導くことが可能になる。なお、図８の実施例においては、ガイド部４４が、分岐部分２４の基端２４ａよりも継手本体１２内側に突き出しているものの、流入口１８から流出口２２までの流路には干渉していないので、横管用継手１０の流量を確保することができ、かつ排水中のごみなどの異物がガイド部４４に引っ掛かって堆積等してしまうことがない。また、必ずしも板部４８を湾曲板状に形成する必要はなく、平板状に形成した板部４８を流出口２２側から流入口１８側へ向けて傾斜するように設けてもよい。
【００６７】
さらにまた、上述の実施例では、横管用継手１０の継手本体１２として９０°大曲がりＹ継手を適用したが、これに限定される必要はなく、所定の角度をなす流入口１８と流出口２２とを有しかつそれらとは分岐して掃除口２６が形成された継手本体１２を備えていれば、横管用継手１０の形状は特に限定されるものではない。
【００６８】
一例として、図１０に示すこの発明の他の一実施例である横管用継手１０の継手本体１２は、塩化ビニルなどの合成樹脂からなる４５°Ｙ継手であり、直管状の胴体部１４と胴体部１４の中央付近から外側に突き出す流入部１６とを有している。以下、図１の実施例における横管用継手１０と同様である部分に関しては、詳細な説明は省略する。
【００６９】
図１０および図１１に示すように、流入部１６は、胴体部１４の軸線に対して４５°の角度で交わるように形成され、その先端開口が上流側から継手本体１２内に排水を流入させる流入口１８として用いられる。また、流出部２０は、胴体部１４の軸方向の一方端部であって、流入口１８と所定の鈍角をなすように、つまりの流入口１８の軸線に対して１３５°の角度で交わるようにされ、その先端開口が継手本体１２内の排水を下流側に流出させる流出口２２として用いられる。さらに、継手本体１２には、流入口１８から流出口２２までの流路から分岐しかつ流出口２２と対向する位置に分岐部分２４が形成される。つまり、分岐部分２４は、胴体部１４の軸方向の他方端部であって、その分岐部分２４の先端開口が掃除口２６として用いられる。掃除口２６には、図１の実施例と同じ蓋体２８が装着されている。
【００７０】
また、図１２に示すように、蓋体２８の裏面側には、排水管路の洗浄時に洗浄ノズル１０６を継手本体１２内で流出口２２側から流入口１８側へ導くためのガイド部４４が設けられている。そして、この横管用継手１０においても、ガイド部４４は、分岐部分２４の基端２４ａまでの所定範囲内に収まるように配置されている。さらに、図１２に一点鎖線で示す分岐部分２４の基端２４ａとガイド部４４の先端つまり板部４８の先端面との間の距離ｄ２は、洗浄ノズル１０６の半径よりも小さくなるように設定され、たとえば２ｍｍ程度である。
【００７１】
図１０の実施例においても、図１の実施例と同じように、掃除口２６に装着した蓋体２８の裏面側にガイド部４４を設けるようにしているので、流出口２２側から流入口１８側へと洗浄ノズル１０６を不具合なくスムーズに導くことが可能である。したがって、排水横管１０の維持管理性を向上させることができる。
【００７２】
また、図１の実施例の横管用継手１０および図１０の実施例の横管用継手１０のように、継手本体１２の形状が異なる横管用継手１０どうしであっても、ガイド部４４を分岐部分２４の基端２４ａまでの所定範囲内に収まるように配置することができるのであれば、共通の蓋体２８を利用することが可能である。同径の掃除口が形成された複数種類の横管用継手どうしで、分岐部分の寸法が一番大きい横管用継手に対応させて蓋体を製作するようにすれば、その蓋体を他の横管用継手にも共通で利用することが可能である。このようにすれば、蓋体を大量生産するのに好都合であり、蓋体の製造コストを抑えることができるようになる。
【００７３】
さらにまた、上述の実施例ではいずれも、斜め後方に高圧水流を噴射する後方噴射型の洗浄ノズル１０６をガイド部４４によって流出口２２側から流入口１８側へと導いたが、洗浄ノズル１０６は必ずしも後方噴射型のものでなくてもよい。たとえば、前方に高圧水流を噴射する洗浄ノズルであれば、作業員が手作業で洗浄ノズルを挿入する際に、ただ単純に洗浄ノズルを進行方向に押し込んで直進させるだけの作業で、横管用継手１０内を洗浄ノズルが不具合なく上流側に推進させることができるようになる。
【００７４】
さらに、図示は省略するが、横管用継手１０の継手本体１２の外面や蓋体２８の天板３４の表面に対し、発光手段を設けるようにしてもよい。
【００７５】
たとえば、発光手段は、蛍光部材や蓄光部材、または反射部材などであり、一例として、反射材を利用したテープや反射板などを継手本体１２の外面や蓋体２８の天板３４の表面に貼り付けるようにしてもよいし、継手本体１２の外面や蓋体２８の天板３４の表面に蛍光材、蓄光材からなる塗料を塗布するようにしてもよいし、蛍光材、蓄光材を利用したテープを継手本体１２の外面や蓋体２８の天板３４の表面に貼り付けるようにしてもよい。
【００７６】
なお、建物の床下ピット内は薄暗いので、作業者は懐中電灯などで照らしながら維持管理・点検を行う必要があるが、点検対象である横管用継手１０に発光手段を設けることにより、懐中電灯の光が照射された横管用継手１０が光るようになるので、横管用継手１０の位置を把握し易くなる。したがって、維持管理性をより向上させることができる。
【００７７】
さらにまた、継手本体１２の材料として、ポリカーボネートやアクリルや透明塩化ビニルのような光透過性材料（透明樹脂）を採用するようにしてもよい。こうすることにより、横管用継手１０の内部に不都合が起こった場合に、蓋体２８を取り外して掃除口２６を開けなくても、目視で継手本体１２の内部の状況を確認することができるようになるので、メンテナンスなどの際にも、有効な手段を講じやすくなる。また、排水横管１００内に光源を設置したり、懐中電灯の光を排水横管１００の内部に対して照射するようにすれば、排水横管１００のうち横管用継手１０の部分のみを内部から光らせることができるので、床下ピット内でも横管用継手１０の位置を把握し易くなる。したがって、維持管理性をより向上させることができる。
【００７８】
また、上述した径や高さ等の具体的数値は、いずれも単なる一例であり、製品の仕様などの必要に応じて適宜変更可能である。
【符号の説明】
【００７９】
１０  …横管用継手
１２  …継手本体
１８  …流入口
２２  …流出口
２４  …分岐部分
２６  …掃除口
２８  …蓋体
４４  …ガイド部
４６  …支持部
４８  …板部
１００  …排水横管
１０６  …洗浄ノズル
【図１】
2014066018.tif 000003
【図２】
2014066018.tif 000004
【図３】
2014066018.tif 000005
【図４】
2014066018.tif 000006
【図５】
2014066018.tif 000007
【図６】
2014066018.tif 000008
【図７】
2014066018.tif 000009
【図８】
2014066018.tif 000010
【図９】
2014066018.tif 000011
【図１０】
2014066018.tif 000012
【図１１】
2014066018.tif 000013
【図１２】
2014066018.tif 000014
【図１３】
2014066018.tif 000015
【図１４】
2014066018.tif 000016